(57)【要約】      （修正有）【課題】壁面に貼り付けられる吸音材・断熱材が様々な厚みに設定された場合であっても対応可能な配管支持具用台座を提供する。【解決手段】吸音材・断熱材が貼り付けられた壁面に、配管・配線を配設支持する配管支持具を取付ける配管支持具用台座１において、台座が、壁面に固定される固定板２１と、固定板から立設する支持筒体２２と、を有する壁面固定部２と、配管支持具が固定されるフランジ板３１と、フランジ板から垂設するスライド筒体３２と、を有する配管支持具固定部３と、を有し、支持筒体とスライド筒体のいずれか一方が他方に重層状態に挿通されて高さ調節可能にスライドする構成であり、内側に挿通される筒体が正多角形筒体であり且つその各角部に設けられた係止部と、外側に位置する筒体が正円筒体であり且つその内周面に設けられた螺旋係止部とが係止することにより吸音材・断熱材の表面と略同等高さに配管支持具を取付けることを可能とする。【選択図】図１
2020051510.tif 000002
【特許請求の範囲】
【請求項１】
クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する支持筒体と、を有する壁面固定部と、
配管支持具が載置状態で固定されるフランジ板と、該フランジ板から垂設するスライド筒体と、を有する配管支持具固定部と、
を有し、
前記支持筒体、前記スライド筒体、の構成が、
（１）前記支持筒体が正円筒体であると共に、前記スライド筒体が正多角形筒体であり、前記支持筒体の内側にスライド筒体が重層状態で挿通され、スライド筒体を構成する正多角形の各角部が支持筒体を構成する正円筒体の内周面に内接する構成、
又は、
（２）前記スライド筒体が正円筒体であると共に、前記支持筒体が正多角形筒体であり、前記スライド筒体の内側に支持筒体が重層状態で挿通され、支持筒体を構成する正多角形の各角部がスライド筒体を構成する正円筒体の内周面に内接する構成、
のいずれかであり、
前記フランジ板の高さ位置が前記吸音材・断熱材の表面と略同等高さとなるように前記支持筒体に対して前記スライド筒体が高さ調節可能にスライドする構成であり、
前記支持筒体と前記スライド筒体の内、外側となる正円筒体の内周面には前記吸音材・断熱材の厚み方向に移動する凸条又は凹条から成る螺旋係止部が設けられ、内側に挿通される正多角形筒体の各角部に前記螺旋係止部に摺動移動可能に係止する凹部又は凸部から成る係止部が設けられており、
前記支持筒体に対して前記スライド筒体を、前記吸音材・断熱材の厚みに応じて厚み方向に螺旋回動させて任意の位置まで移動させることにより、前記吸音材・断熱材の表面と略同等高さに配管支持具を取付けることを可能とする構成であること、
を特徴とする配管支持具用台座。
【請求項２】
前記正多角形筒体が、正三角形筒体、正四角形筒体、正五角形筒体、正六角形筒体、正八角形筒体のいずれかであることを特徴とする請求項１に記載の配管支持具用台座。
【請求項３】
前記係止部が、前記正多角形筒体の各角部の一部を突出状態に突起加工して形成された構成であることを特徴とする請求項１又は２に記載の配管支持具用台座。
【請求項４】
前記係止部が、前記正多角形筒体の各角部の一部を切起して形成された構成であることを特徴とする請求項１又は２に記載の配管支持具用台座。
【請求項５】
前記係止部が、前記正多角形筒体の各角部にネジ頭やナットの如き凸状の他部材を取付固定して形成された構成であることを特徴とする請求項１又は２に記載の配管支持具用台座。
【請求項６】
前記係止部が、前記正多角形筒体の各角部の一部を凹状に凹ませて形成された構成であることを特徴とする請求項１又は２に記載の配管支持具用台座。
【発明の詳細な説明】
【技術分野】
【０００１】
本発明は配管支持具用台座に関し、詳しくはクッション性を有する吸音材・断熱材が貼り付けられた壁面に、配管・配線を配設支持する配管支持具を前記吸音材・断熱材の厚みを考慮した状態で取付けるための配管支持具用台座に関する。
【背景技術】
【０００２】
吸音材・断熱材が貼り付けられた壁面に、配管・配線を配設支持する配管支持具を取付けるための台座としては、例えば、特許文献１に記載の技術等が知られている。
【０００３】
特許文献１に記載の技術によれば、壁面に貼られた吸音材・断熱材に形成した挿入穴に台座を挿入し、この台座の固定板を壁面にボルトやネジの如き固定手段により固定し、前記吸音材・断熱材の表面と略同等高さに位置するフランジ板に配管支持具を載置した状態で取付固定することができる。
【先行技術文献】
【特許文献】
【０００４】
【特許文献１】意匠登録第１５６９８８０号公報
【発明の概要】
【発明が解決しようとする課題】
【０００５】
しかし特許文献１に記載の技術では、施工場所の設計条件に応じて吸音材・断熱材の厚みが様々な厚みに設定された場合、この吸音材・断熱材の様々な厚み毎に適した複数種類の高さの台座を用意しなければならないという問題点を有している。
【０００６】
そこで本発明の課題は、壁面に貼り付けられる吸音材・断熱材が様々な厚みに設定された場合であっても対応可能な配管支持具用台座を提供することにある。
【課題を解決するための手段】
【０００７】
上記課題を解決する本発明は下記構成を有する。
【０００８】
１．クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する支持筒体と、を有する壁面固定部と、
配管支持具が載置状態で固定されるフランジ板と、該フランジ板から垂設するスライド筒体と、を有する配管支持具固定部と、
を有し、
前記支持筒体、前記スライド筒体、の構成が、
（１）前記支持筒体が正円筒体であると共に、前記スライド筒体が正多角形筒体であり、前記支持筒体の内側にスライド筒体が重層状態で挿通され、スライド筒体を構成する正多角形の各角部が支持筒体を構成する正円筒体の内周面に内接する構成、
又は、
（２）前記スライド筒体が正円筒体であると共に、前記支持筒体が正多角形筒体であり、前記スライド筒体の内側に支持筒体が重層状態で挿通され、支持筒体を構成する正多角形の各角部がスライド筒体を構成する正円筒体の内周面に内接する構成、
のいずれかであり、
前記フランジ板の高さ位置が前記吸音材・断熱材の表面と略同等高さとなるように前記支持筒体に対して前記スライド筒体が高さ調節可能にスライドする構成であり、
前記支持筒体と前記スライド筒体の内、外側となる正円筒体の内周面には前記吸音材・断熱材の厚み方向に移動する凸条又は凹条から成る螺旋係止部が設けられ、内側に挿通される正多角形筒体の各角部に前記螺旋係止部に摺動移動可能に係止する凹部又は凸部から成る係止部が設けられており、
前記支持筒体に対して前記スライド筒体を、前記吸音材・断熱材の厚みに応じて厚み方向に螺旋回動させて任意の位置まで移動させることにより、前記吸音材・断熱材の表面と略同等高さに配管支持具を取付けることを可能とする構成であること、
を特徴とする配管支持具用台座。
【０００９】
２．前記正多角形筒体が、正三角形筒体、正四角形筒体、正五角形筒体、正六角形筒体、正八角形筒体のいずれかであることを特徴とする上記１に記載の配管支持具用台座。
【００１０】
３．前記係止部が、前記正多角形筒体の各角部の一部を突出状態に突起加工して形成された構成であることを特徴とする上記１又は２に記載の配管支持具用台座。
【００１１】
４．前記係止部が、前記正多角形筒体の各角部の一部を切起して形成された構成であることを特徴とする上記１又は２に記載の配管支持具用台座。
【００１２】
５．前記係止部が、前記正多角形筒体の各角部にネジ頭やナットの如き凸状の他部材を取付固定して形成された構成であることを特徴とする上記１又は２に記載の配管支持具用台座。
【００１３】
６．前記係止部が、前記正多角形筒体の各角部の一部を凹状に凹ませて形成された構成であることを特徴とする上記１又は２に記載の配管支持具用台座。
【発明の効果】
【００１４】
請求項１に示す発明によれば、壁面に貼り付けられる吸音材・断熱材が様々な厚みに設定された場合であっても対応可能な配管支持具用台座を提供することができる。
【００１５】
特に、壁面固定部に対して配管支持具固定部が高さ調節可能な構成を有するので、吸音材・断熱材の厚みに応じて高さを支持筒体とスライド筒体とを回動させて適宜設定することにより配管支持具を取付固定するフランジ板を前記吸音材・断熱材の表面と略同等高さとすることができる。
また、壁面固定部の支持筒体に対して、配管支持具固定部のスライド筒体が高さ調節可能に重層する構成を有するので、壁面固定部に対して配管支持具を安定した状態で取り付けられる。従って、配管支持具固定部のフランジ板に載置固定される配管支持具を安定した状態で取り付けることができるので、壁面に沿って配管・配線を安定した状態で支持固定することができる。
更に、本発明の螺旋係止部に係止部を係止させる構成によって耐振（耐震）性の向上、及びぐらつきの抑制効果が期待できる。
【００１６】
請求項２に示す発明によれば、内側に挿通される正多角形筒体の各角部が外側に位置する正円筒体の内周面に均等に内接することにより、螺旋係止部と係止部との係止が複数箇所において均等に係止される構成となるため、支持筒体とスライド筒体とを安定した状態での螺旋回動が可能である。従って、高さ調節が容易である。
【００１７】
請求項３に示す発明によれば、係止部が別部材を用いることなく部材の一部を突起加工して形成された構成を有するので、低コストで容易に加工可能である。
【００１８】
請求項４に示す発明によれば、係止部が別部材を用いることなく部材の一部を切起し形成された構成を有するので、低コストで容易に加工可能である。
【００１９】
請求項５に示す発明によれば、係止部となる凸状の他部材としてネジ頭やナット等の入手や加工が容易な一般的な部材から成るので、低コストで容易に加工可能である。
【００２０】
請求項６に示す発明によれば、係止部が別部材を用いることなく部材の一部を凹状に凹ませて形成された構成を有するので、低コストで容易に加工可能である。
【図面の簡単な説明】
【００２１】
【図１】本発明に係る配管支持具用台座の一実施例を示す５面図（正面図、平面図、底面図、左側面図、Ａ−Ａ線断面図。背面図は正面図と、右側面図は左側面図と、夫々対称のため省略。）
【図２】図１に示す配管支持具用台座の壁面固定部の５面図（正面図、平面図、底面図、左側面図、Ｂ−Ｂ線断面図。背面図は正面図と、右側面図は左側面図と、夫々対称のため省略。）
【図３】図１に示す配管支持具用台座の配管支持具固定部の７面図（正面図、背面図、平面図、底面図、左側面図、右側面図、Ｃ−Ｃ線断面図）
【図４】図１に示す配管支持具用台座の使用状態の一例を示す概略説明図
【図５】係止凸部の他の例を示すＦ−Ｆ線断面図（Ａ）と左側面図（Ｂ）
【図６】係止凸部の更に他の例を示す正面図（Ａ）と左側面図（Ｂ）
【発明を実施するための形態】
【００２２】
次に、添付の図面に従って本発明を詳細に説明する。
【００２３】
本発明に係る配管支持具用台座（以下、単に台座ということもある。）は、クッション性を有する吸音材・断熱材が貼り付けられた壁面に、配管・配線を配設支持する配管支持具を前記吸音材・断熱材の厚みを考慮した状態で取付けるためのものである。
【００２４】
本発明の配管支持具用台座１の具体的構成としては、図１〜図４に示す実施例によれば、
クッション性を有する吸音材・断熱材５が貼り付けられた壁面４に、配管・配線Ｐを配設支持する配管支持具６を前記吸音材・断熱材５の厚みを考慮した状態で取付けるための構成において、
台座１が、
ボルトやネジの如き固定手段７により壁面に固定される固定板２１と、該固定板２１から立設する支持筒体２２と、を有する壁面固定部２と、
配管支持具６が載置状態で固定されるフランジ板３１と、該フランジ板３１から垂設するスライド筒体３２と、を有する配管支持具固定部３と、
を有し、
前記支持筒体２２、前記スライド筒体３２、の構成が、
前記支持筒体２２が正円筒体であると共に、前記スライド筒体３２が正多角形筒体（本実施例では正四角形筒体）であり、前記支持筒体２２の内側にスライド筒体３２が重層状態で挿通され、スライド筒体３２を構成する正多角形（正四角形）の各角部（４つの角部）が支持筒体２２を構成する正円筒体の内周面に内接する構成であり、
前記フランジ板３１の高さ位置が前記吸音材・断熱材５の表面と略同等高さとなるように前記支持筒体２２に対して前記スライド筒体３２が高さ調節可能にスライドする構成であり、
前記支持筒体２２と前記スライド筒体３２の内、外側となる正円筒体である支持筒体２２の内周面には前記吸音材・断熱材５の厚み方向に移動する凸条から成る螺旋係止部２４が設けられ、内側に挿通される正多角形筒体（正四角形筒体）であるスライド筒体３２の各角部（４つの角部）に前記螺旋係止部２４に摺動移動可能に係止する凸部から成る係止部３３が設けられており、
前記支持筒体２２に対して前記スライド筒体３２を、前記吸音材・断熱材５の厚みに応じて厚み方向に螺旋回動させて任意の位置まで移動させることにより、前記吸音材・断熱材５の表面と略同等高さに配管支持具６を取付けることを可能とする構成であること、
を主構成とするものである。
尚、図１〜図４において、符号２５は固定板２１に穿かれて固定手段７が挿通される壁面固定用孔であり、符号３４はフランジ板３１に穿かれて配管支持具６を取付固定するためのボルト８が挿通螺合する配管支持具固定用孔であり、符号３５は壁面４に台座１を固定手段７によって固定する際に該固定手段７を緊締操作するためのドライバーの如き緊締具を挿通するためのドライバー挿通孔である。
【００２５】
以下、本発明の構成について更に詳説する。
【００２６】
壁面固定部２の支持筒体２２に設けられた螺旋係止部２４は、該支持筒体２２の内周面に設けられる螺旋状の凸部であるが、該凸部は本実施例では例えば別部材である線条材（例えば、針金材、ワイヤー線材等）を図１及び図２に示すように支持筒体２２の内周面に溶着や貼着等によって螺旋状に付加することにより設けられた凸条構成となっている。
【００２７】
配管支持具固定部３のスライド筒体３２に設けられた係止部３３は、図１及び図３に示すように、外側に位置することになる支持筒体２２が構成する正円筒体の内周面に内接する部分、即ち、スライド筒体３２が構成する正四角形筒体の４つの各角部が螺旋係止部２４に内接する部分に設けられる。内側に挿通される正多角形筒体（正四角形筒体）であるスライド筒体３２の各角部（４つの角部）が外側に位置する正円筒体である支持筒体２２の内周面に均等に内接することにより、螺旋係止部２４と係止部３３との係止が複数箇所（本実施例では４箇所）において均等に係止される構成となるため、支持筒体２２とスライド筒体３２とを安定した状態での螺旋回動が可能である。従って、高さ調節が容易である。
また、係止部３３は、図１及び図３に示すようにスライド筒体３２を構成する正多角形筒体（本実施例では正四角形筒体）の各角部（４つの角部）の一部を突出状態に突起加工して形成されている。
【００２８】
上記構成を有する本発明の台座１は、ステンレス、亜鉛メッキ仕上げを施した鋳鉄鋼等の金属や、ポリプロピレン樹脂、ＡＢＳ樹脂等の合成樹脂等、この種の配管支持具として用いられる公知公用の材料から特別の制限なく形成されるものであるが、好ましくは重層状態で挿通される構成の支持筒体２２とスライド筒体３２は撓み性を有する構成であることが好ましい。
【００２９】
また、上記構成を有する本発明の台座１を用いる場合、図４に示すように、壁面４に貼られた吸音材・断熱材５に、該台座１が挿入可能な挿入穴を形成し、この挿入穴内に台座１を挿入し、固定板２１を壁面４にボルトやネジの如き固定手段７により固定する。
この挿入、固定の際、或いは挿入前に、前記吸音材・断熱材５の表面とフランジ板３１の位置が略同等高さとなるように、支持筒体２２とスライド筒体３２の少なくともいずれか一方を他方に対して回動させる。この回動によって高さを適宜設定することにより、配管支持具６を取付固定するフランジ板３１を前記吸音材・断熱材５の表面と略同等高さとすることができる。
固定板２１の壁面４への固定と、並びにフランジ板３１の高さ位置を吸音材・断熱材５の表面と略同等高さでの固定とが済んだ後、フランジ板３１に配管支持具６を載置し、ボルト８等によって取付固定する。
台座１に取付固定した配管支持具６に配管・配線Ｐを抱持支持させることによって、クッション性を有する吸音材・断熱材５が貼り付けられた壁面４に、配管・配線Ｐを配設支持することができる。
特に、螺旋係止部２４に対して係止部３３は螺旋回動途中において係止した状態となることから、配管支持具６が取付固定されて配管・配線Ｐを支持した後は、前記の螺旋回動は困難となるため、壁面４に対して配管Ｐを支持した配管支持具６の高さ位置は変動することなく確実に支持固定されることになる。
また、螺旋係止部２４に対して係止部３３を緩い状態でガタつきを許容させた状態で係止させる構成とした場合には、この緩い係止構成が配管Ｐの振動・震動（ウォーターハンマー現象、地震等の揺れ等）を吸収する緩衝機能を発揮することになる。特に、壁面４に取付けた際には本発明の台座１の周囲は吸音材・断熱材５に囲繞された状態となるので、配管Ｐが振動・震動した際には前記した緩い係止構成による緩衝機能に吸音材・断熱材５が有するクッション性が加わって二重の衝撃吸収機能を発揮するという相乗効果が生じることになる。
【００３０】
以上、本発明に係る配管支持具用台座の実施例について説明したが、本発明は上記構成に限定されず、本発明の範囲内において種々の態様を採ることができる。
【００３１】
例えば、上記実施例において、内側に挿通されるスライド筒体３２は正四角形筒体であったが、本発明はかかる構成に限定されず、正四角形筒体以外の正多角形筒体、例えば、正三角形筒体、正五角形筒体、正六角形筒体、正八角形筒体のいずれかであってもよい。かかる他の正多角形筒体である場合、各角部に設けられる係止部３３は、正三角形筒体の場合は３つの各角部に少なくとも１つずつ設けられていればよいが、正五角形筒体と正六角形筒体の場合は５つ又は６つの角部に対して１つ飛ばしの少なくとも３つの角部に少なくとも１つずつ設けられていればよく、正八角形筒体の場合は８つの角部に対して１つ飛ばしの４つの角部に少なくとも１つずつ設けられていればよい。
【００３２】
また、上記実施例では、螺旋係止部２４が凸条であったが、凹条であってもよい。螺旋係止部２４を凹条に形成する場合、支持筒体２２の内周面の表面に凹条の溝を切削等により形成してもよいし、或いは叩き加工やプレス加工によって凹ませて形成してもよい。また、螺旋係止部２４を凹状に形成する場合、螺旋条の貫通孔についても本発明に包含する。尚、螺旋係止部をスライド筒体３２に設ける場合についても同様の形成手段を採ることができる。
【００３３】
また、係止部３３は、上記実施例においては突出状態に突起加工して形成した構成であったが、本発明はかかる構成に限定されず、スライド筒体３２（又は支持筒体２２）を構成する正多角形筒体の各角部の一部を切起し形成した構成（図５参照）や、スライド筒体３２（又は支持筒体２２）を構成する正多角形筒体の各角部にネジ頭やナット等の凸状の他部材を取付固定して形成した構成（図６参照）とすることもできる。
【００３４】
更に、係止部３３は、上記実施例においては凸部構成であったが、螺旋係止部２４に係止可能であれば凹部であってもよい。この場合、係止部３３は別部材を用いることなく支持筒体２２又はスライド筒体３２を構成する正多角形筒体の各角部の一部を凹状に凹ませて形成することができる。
【００３５】
また、上記実施例では、正多角形筒体（正四角形筒体）のスライド筒体３２が正円筒体の支持筒体２２の内側に重層状態で挿通される構成であったが、本発明はかかる構成に限定されず、支持筒体２２がスライド筒体３２の内側に重層状態で挿通される構成とすることもできる。この場合、外側に位置するスライド筒体３２が正円筒体となり、内側に挿通される支持筒体２２が正多角形筒体と成り、スライド筒体３２の内周面に螺旋係止部が設けられ、支持筒体３２の各角部に係止部が設けられることになる。
【００３６】
更に、上記実施例では、スライド筒体３２を構成する正四角形筒体の４つの各角部に係止部３３を１つずつ設けた構成であったが、１つの角部に高さ方向に２つ以上の係止部を設ける構成としてもよい。尚、支持筒体２２を内側に挿通した態様についても同様に該支持筒体２２を構成する正多角形筒体の各角部に高さ方向に２つ以上の係止部を設ける構成としてもよい。
【符号の説明】
【００３７】
１  配管支持具用台座
２  壁面固定部
２１  固定板
２２  支持筒体
２４  螺旋係止部
２５  壁面固定用孔
３  配管支持具固定部
３１  フランジ板
３２  スライド筒体
３３  係止部
３４  配管支持具固定用孔
３５  ドライバー挿通孔
４  壁面
５  吸音材・断熱材
６  配管支持具
７  固定手段
８  ボルト
Ｐ  配管・配線
【図１】
2020051510.tif 000003
【図２】
2020051510.tif 000004
【図３】
2020051510.tif 000005
【図４】
2020051510.tif 000006
【図５】
2020051510.tif 000007
【図６】
2020051510.tif 000008